(57)【要約】【目的】ハッチカバーの構造を単純化してその耐久性とメンテナンス性に優れ、甲板上に広い作業スペースを確保できると共に、船体の揺れや強風などにおいてもハッチカバーを確実に固定して、操業の安全性や作業性に優れた船艙用ハッチカバーを提供する。【解決手段】巻き網付属運搬船などの漁船１０の甲板上に設けられ捕獲された魚が投入される船艙開口部１１ａに配置される船艙用ハッチカバー１２であって、船艙開口部１１ａに開閉自在に覆設される略矩形状に形成された左右一対のハッチカバー本体１３、１４と、ハッチカバー本体１３、１４の裏面側に設けられたローラ２０と、ローラ２０を介してハッチカバー本体１３、１４を走行自在に支持するガイドレール２１と、船艙開口部１１ａの左右側部にそれぞれ設けられハッチカバー本体１３、１４が収納されるハッチカバー本体収納部１５、１６と、ハッチカバー本体１３、１４をスライドさせるハッチカバー駆動部と、を有して船艙用ハッチカバー１２を構成する。【選択図】          図１
2004306867.tif 000002
【特許請求の範囲】
【請求項１】
巻き網付属運搬船などの漁船の甲板上に設けられ捕獲された魚が投入される船艙開口部に配置される船艙用ハッチカバーであって、
前記船艙開口部に開閉自在に覆設される略矩形状に形成された左右一対のハッチカバー本体と、前記ハッチカバー本体の裏面側に設けられたローラと、前記ローラを介して前記ハッチカバー本体を走行自在に支持するガイドレールと、前記船艙開口部の左右側部にそれぞれ設けられ前記ハッチカバー本体が収納されるハッチカバー本体収納部と、前記ハッチカバー本体をスライドさせるハッチカバー駆動部と、を有することを特徴とする船艙用ハッチカバー。
【請求項２】
前記ガイドレールの開口部に設けられ前記ハッチカバー本体の重量により前記ローラを介して押し下げられて回動する回動部材と、前記回動部材に連動して回動するロックアームと、前記ロックアームの鉤状の先端が回動して係合される前記ハッチカバー本体に設けられたロックピンと、を備え前記ハッチカバー本体を前記甲板上のカバー閉止位置で固定するロック機構を有していることを特徴とする船艙用ハッチカバー。
【請求項３】
前記ハッチカバー駆動部が、前記ガイドレールに沿って正自在に配置され固定部材を介して前記ハッチカバー本体に固定されるエンドレス索条と、前記エンドレス索条を走行駆動させる回転ドラムとを備えたことを特徴とする請求項１又は２に記載の船艙用ハッチカバー。
【請求項４】
前記ハッチカバー駆動部が、前記ガイドレールに沿って配置されその基端側が回転自在に軸支される螺旋軸と、前記ハッチカバー本体に設けられ前記螺旋軸の先端側が螺合される軸受部と、前記螺旋軸を回転駆動させるモータ部と、を有していることを特徴とする請求項１又は２に記載の船艙用ハッチカバー。
【発明の詳細な説明】
【０００１】
【発明の属する技術分野】
この発明は、巻き網漁などで取り込まれた魚を船艙に入れて運搬する漁船の魚投入用ハッチなどに覆設される船艙用ハッチカバーに関する。
【０００２】
【従来の技術】
巻き網付属運搬船などの漁船の甲板上に配置されるハッチ構造は、図１１に示すように甲板上の船艙開口部に平行配置されたハッチビーム５０間に略矩形状のハッチカバー５１を作業者が渡設して作業する形式のものが従来用いられていたが、このようなハッチカバーの着脱作業を省力化するための技術に関連して、例えば、以下のような船艙用ハッチカバーが提案されている。
（ａ）特許文献１には、一対の長方形のカバーを有し、第１のカバーが縁材又は甲板に枢着され、残りのカバーが第１のカバーに枢着された船倉ハッチカバー開閉装置であって、順次ヒンジで連結されたカバーと、伸長力に応じて、互いに隣接したカバーが直立位置に畳み込まれるよう、各ヒンジに連結した駆動手段と、各ヒンジに連結され、伸長位置と収縮位置の間の駆動を行う片方向伝達の機械的作動装置であり、伸長位置で各パネルが直立姿勢で折り畳まれ、収縮位置で各パネルが水平に拡がってハッチを閉鎖するようにした、各ヒンジに伸長力を与える機械的、非流体駆動手段と、とから構成された船倉ハッチカバーの開閉装置が記載されている。
（ｂ）特許文献２には、船艙開放時に収納される複数のハッチパネルと、船艙開放の際に該ハッチパネルに最初に収納されるトロッコ形式のリードパネルとからなるカバーパネルを有し、これらカバーパネルの開閉移動を案内するガイドを甲板上に設け、また、該カバーパネルを格納するための格納部分を船艙開口部に臨む片側甲板上に設けたスライド式ハッチカバーが記載されている。
【０００３】
【特許文献１】
特表平８−５１０４２７号公報
【０００４】
【特許文献２】
特開平１１−１５２０７８号公報
【０００５】
【発明が解決しようとする課題】
しかしながら、前記従来の技術のものでは以下のような課題があった。
（イ）特許文献１や特許文献２に記載のハッチカバーは、複数のパネルを折り畳んだ状態で収納するので、これらのヒンジなどの連結部分から漏水しやすく、耐久性にも欠けるためにメンテナンス性が悪いという課題があった。
（ロ）特に特許文献１のものでは、これらのパネルが直立状態で折り畳まれるので、これによって大量の魚を船艙に投入する際に障害となりやすく、漁労の作業性に欠ける場合があるという課題があった。
（ハ）特許文献２に記載のスライド式ハッチカバーは、ハッチカバーの駆動機構やハッチカバー自体の構造が複雑になるので、集魚中に走行不良などのトラブルを発生しやすいという課題があった。
（ニ）従来のハッチカバーは、その閉止状態や開放状態においてハッチカバーを確実に固定する機構を備えていないので、船体の揺れや強風などで移動したり、これによって破損したりしやすく、操業の安全性や確実性に欠けるという課題があった。
【０００６】
本発明は前記従来の課題を解決するためになされたもので、ハッチカバーの構造を単純化してその耐久性とメンテナンス性に優れ、甲板上に広い作業スペースを確保できると共に、船体の揺れや強風などにおいてもハッチカバーを確実に固定して、操業の安全性や作業性に優れた船艙用ハッチカバーを提供することを目的とする。
【０００７】
【課題を解決するための手段】
（１）前記従来の課題を解決する本発明の船艙用ハッチカバーは、巻き網付属運搬船などの漁船の甲板上に設けられ捕獲された魚が投入される船艙開口部に配置される船艙用ハッチカバーであって、前記船艙開口部に開閉自在に覆設される略矩形状に形成された左右一対のハッチカバー本体と、前記ハッチカバー本体の裏面側に設けられたローラと、前記ローラを介して前記ハッチカバー本体を走行自在に支持するガイドレールと、前記船艙開口部の左右側部にそれぞれ設けられ前記ハッチカバー本体が収納されるハッチカバー本体収納部と、前記ハッチカバー本体をスライドさせるハッチカバー駆動部と、を有して構成されている。これによって、ハッチカバー自体には屈曲部や連結部などの接合構造がないので、その耐久性やメンテナンス性に優れると共に、船体の左右両側に設けられたハッチカバー収納部にハッチカバー本体を収納して甲板上に作業スペースを確保することができ、漁労作業における作業性を良好に確保できる。
（２）本発明の船艙用ハッチカバーは、前記（１）において、前記ガイドレールの開口部に設けられ前記ハッチカバー本体の重量により前記ローラを介して押し下げられて回動する回動部材と、前記回動部材に連動して回動するロックアームと、前記ロックアームの鉤状の先端が回動して係合される前記ハッチカバー本体に設けられたロックピンと、を備え前記ハッチカバー本体を前記甲板上のカバー閉止位置で固定するロック機構を有していることにも特徴を有している。これによって、船体の揺れや強風などよってハッチカバーがずれたり動いたりすることなく確実に固定できるので、操業の安全性や作業性に優れた船艙用ハッチカバーを提供できる。
（３）本発明の船艙用ハッチカバーは、前記（１）又は（２）において、前記ハッチカバー駆動部が、前記ガイドレールに沿って正逆走行自在に配置され固定部材を介して前記ハッチカバー本体に固定されるエンドレス索条と、前記エンドレス索条を走行駆動させる回転ドラムとを備えたことにも特徴を有している。この回転ドラムを人力やモータなどを用いて正回転又は逆回転させることによって、エンドレス索条を介してハッチカバー本体をスライド移動させ、船艙開口部上に開閉させることができ、開閉作業を迅速に行うことができる。
（４）本発明の船艙用ハッチカバーは、前記（１）又は（２）において、前記ハッチカバー駆動部が、前記ガイドレールに沿って配置されその基端側が回転自在に軸支される螺旋軸と、前記ハッチカバー本体に設けられ前記螺旋軸の先端側が螺合される軸受部と、前記螺旋軸を回転駆動させるモータ部と、を有していることを特徴とする。これによって、ハッチカバーのスライド機構を簡単に構成でき、故障が少なくメンテナンス性に優れた船艙用ハッチカバーを提供できる。
【０００８】
【発明の実施の形態】
（実施の形態１）
本発明の実施の形態に係る船艙用ハッチカバーについて図面を参照して説明する。図１は実施の形態１の船艙用ハッチカバーが適用される漁船の側面図であり、図２は漁船甲板上に配置された船艙用ハッチカバーの斜視図である。
【０００９】
図１及び図２において、１０は巻き網漁などで捕獲された魚を輸送するための漁船、１１は魚を保持するための船艙であり、漁船１０の本体部分を複数区画して形成されている。１２は漁船１０の甲板１０ａ上の船艙１１の上面に形成される船艙開口部１１ａに開閉自在にスライドするよう設けられた実施の形態１の船艙用ハッチカバー、１３、１４はの左右一対からなる略平板状に形成された鋼板やアルミ板、プラスチック板などからなる船艙用ハッチカバー１２のハッチカバー本体、１５、１６は左舷側及び右舷側の甲板１０ａ下にそれぞれ設けられたハッチカバー本体収納部である。
【００１０】
図３は実施の形態１の船艙用ハッチカバーの動作を説明する側面断面図であり、図４はその平面図である。
【００１１】
図３及び図４において、２０はハッチカバー本体１３の側端面の裏面側に設けられたローラ、２１はローラ２０を介してハッチカバー本体１３を走行自在に支持するガイドレール、２２はハッチカバー本体１３の索条固定部１３ａに固定されるチェーンやワイヤー、ロープなどからなるエンドレス索条、２３はエンドレス索条２２を走行駆動させるための回転ドラム、２４は回転ドラム２３を人力で回転させるためのハンドル、２５はエンドレス索条２２の走行をガイドするための船体の所定箇所に設けられたプーリである。なお、ハッチカバー駆動部は、エンドレス索条２２、回転ドラム２３、ハンドル２４、プーリ２５等を有して構成されている。
【００１２】
実施の形態１の船艙用ハッチカバー１２は以上のように構成されているので、従来のようにハッチカバー本体１３、１４に屈曲部や連結部などの接合構造がなく、耐久性やメンテナンス性に優れている。また、船体の左右両側に設けられたハッチカバー本体収納部１５、１６にハッチカバー本体１３、１４を収納して甲板１０ａ上に作業スペースを確保することができ、漁労作業における作業性を良好に確保できる利点を有している。また、回転ドラム２３のハンドル２４を正回転又は逆回転させることによって、エンドレス索条２２を走行させてハッチカバー本体１３、１４をスライド移動させ、船艙開口部１１ａ上に開閉させることができ、この開閉作業を迅速かつ安全に行うことができる。
（実施の形態２）
図５は実施の形態２の船艙用ハッチカバーの側面断面図であり、図６はその平面図である。
【００１３】
図５及び図６において、３０は実施の形態２の船艙用ハッチカバー、３１は左舷側のハッチカバー本体収納部１５に配された支持部材、３２は支持部材３１にその基端側が回転自在に軸支される螺旋軸、３３はハッチカバー本体１３に設けられ螺旋軸３２の先端側が螺合される軸受部、３４は螺旋軸３２を回転駆動させるための支持部３１に配された電動モータや油圧モータ、空気圧モータなどのモータ部、３５はモータ部３４の制御部、３６は制御部３５に設けられたハッチカバーの開閉操作レバーである。
【００１４】
本実施の形態におけるハッチカバー駆動部は、支持部材３１、螺旋軸３２、軸受部３３、モータ部３４等を有して構成されている。
【００１５】
なお、実施の形態２の船艙用ハッチカバー３０はハッチ本体の駆動機構の点で前記実施の形態１の船艙用ハッチカバー１２とは異なっているが、その他の構成は略同様であるので、前記実施の形態１と同様の機能を有するものについては同一の符号を付してその説明を省略する。
【００１６】
モータ部３４により回転駆動される螺旋軸３２はハッチカバー本体１３の軸受部３３で軸支され、この螺旋軸３２の回転に伴ってハッチカバー本体１３をハッチカバー本体収納部１５に進退させるようになっている。
【００１７】
なお、船艙開口部１１ａには図示しないリミットスイッチなどが所定位置に配置されていて、ハッチカバー本体１３、１４の全閉止時や開放時にはモータ部３４が操作レバー３６の操作に関係なく停止するようにしている。
【００１８】
実施の形態２の船艙用ハッチカバー３０は以上のように構成されているので、ハッチカバー本体１３、１４のスライド機構を簡単にして故障が少なくメンテナンス性に優れた船艙用ハッチカバーを提供できると共に、螺旋機構によりスライドされるのでハッチカバー本体１３、１４を所定位置に的確に固定する保持性や制御性に優れている。
（実施の形態３）
図７は実施の形態３の船艙用ハッチカバーにおけるロック機構の正面断面図であり、図８（ａ）はその矢視Ａ−Ａ側面断面図であり、図８（ｂ）はその矢視Ｂ−Ｂ側面断面図である。
【００１９】
図７及び図８において、４０は実施の形態３の船艙用ハッチカバーに適用されるロック機構、４１はガイドレール２１のレール開口部２１ａの近傍に設けられハッチカバー本体１３、１４の重量によりローラ２０を介して押し下げられ回動軸４１ａを支点として回動してそのローラ受部４１ｂが沈み込んで回動する回動部材、４２はハッチカバー本体１３、１４の側端面に設けられたロックピン、４３は先側がロックピン４２に係合するように回動軸４３ａで回動自在に支持されたロックアームであり、回動部材４１のローラ受部４１ｂにより押し下げられるカム状突起４３ｂを有している。４４はロックアーム４３にその下端が着脱自在に嵌合されロックアーム４３を回動させるためのロックアーム操作用ロッド、４５はハッチカバー本体１３、１４の裏面に設けられハッチカバー本体１３、１４が閉止位置や開放位置で沈み込んでガイドレール２１などに密着して封止するためのゴム板やパッキンなどからなるシール材である。
【００２０】
なお、実施の形態３の船艙用ハッチカバーのロック機構４０は前記実施の形態１又は２の船艙用ハッチカバー１２、３０に適用されるものである。以下の説明においては実施の形態１の船艙用ハッチカバー１２を例として説明し、このロック機構以外の構成については同一の符号を付してその説明を省略する。
【００２１】
図９は実施の形態３における船艙用ハッチカバーの動作説明図であり、図１０は船艙用ハッチカバーにおけるロック機構の模式説明図である。以下、図７〜図１０に示す図面を参照しながら船艙用ハッチカバーのロック方法及びその解除方法について説明する。
【００２２】
まず、ハッチカバー駆動部を構成する回転ドラム２３のハンドル２４を回転させることによりエンドレス索条２２を走行させて固定部１３ａを介してハッチカバー本体収納部１５に収納されたハッチカバー本体１４を船艙開口部１１ａに向けて引き出す。こうして、図１０（ａ）に示すようにローラ２０がガイドレール２１上を走行して、レール開口部２１ａに位置する回動部材４１のローラ受部４１ｂにローラ２０が乗ることでその重量が付加されて沈み込み、回動軸４１ａを支点にして回動部材４１が回動される。
【００２３】
この回動部材４１の動きに伴って、ローラ受部４１ｂがロックアーム４３の基部に設けられたカム状突起４３ｂを押し込み、これによって、図１０（ｂ）に示すように鉤状に形成されたロックアーム４３の先部がハッチカバー本体１４のロックピン４２に係合される。こうして、図９（ａ）に示すように、ハッチカバー本体１３、１４を船艙開口部１１ａ上にロック状態で覆設することができる。
【００２４】
また、このようなハッチカバー本体１３、１４のロック状態を解除する場合は、図９（ｂ）に示すように、ロックアーム４３に設けられた嵌合部に、棒状のロックアーム操作ロッド４４の基端を嵌合させる。
【００２５】
つぎに、ロックアーム操作ロッド４４を引き倒してロックアーム４３の先側を回動させることにより、ロックピン４２からロックアーム４３を取り外してこのロック状態を容易に解除することができる。
【００２６】
実施の形態３の船艙用ハッチカバーは以上のように構成されているので、船体の揺れや強風などよってハッチカバー本体１３、１４を確実に固定でき、巻き網漁などにおける操業の安全性や作業性に優れた船艙用ハッチカバーを提供できる。さらにシール材４５を介してハッチカバー本体１３、１４がロックされるので、船艙開口部１１ａからの防水性に優れている。
【００２７】
【発明の効果】
請求項１に記載の本発明によれば、ハッチカバー自体には屈曲部や連結部などの接合構造がないので、その耐久性やメンテナンス性に優れると共に、船体の左右両側に設けられたハッチカバー本体収納部にハッチカバー本体を収納して甲板上に作業スペースを確保でき、漁労作業における作業性を良好に確保できる。
【００２８】
請求項２に記載の本発明によれば、船体の揺れや強風などよってハッチカバーがずれたり動いたりすることなく確実に固定でき、防水性や操業の安全性、作業性に優れた船艙用ハッチカバーを提供できる。
【００２９】
請求項３に記載の本発明によれば、回転ドラムを人力やモータなどを用いて正回転又は逆回転させることによって、エンドレス索条を介してハッチカバー本体をスライド移動させ、船艙開口部上に開閉させることができ、開閉作業を迅速に行うことができる。
【００３０】
請求項４に記載の本発明によれば、船艙用ハッチカバーのスライド機構を簡単に構成でき、故障が少なくメンテナンス性に優れた船艙用ハッチカバーを提供できる。
【図面の簡単な説明】
【図１】実施の形態１の船艙用ハッチカバーが適用される漁船の側面図である。
【図２】漁船甲板上に配置された船艙用ハッチカバーの斜視図である。
【図３】実施の形態１の船艙用ハッチカバーの動作を説明する側面断面図である。
【図４】同船艙用ハッチカバーの平面図である。
【図５】実施の形態２の船艙用ハッチカバーの側面断面図である。
【図６】同船艙用ハッチカバーの平面図である。
【図７】実施の形態３の船艙用ハッチカバーにおけるロック機構の正面断面図である。
【図８】（ａ）図７の矢視Ａ−Ａ側面断面図である。
（ｂ）図７の矢視Ｂ−Ｂ側面断面図である。
【図９】実施の形態３における船艙用ハッチカバーの動作説明図である。
【図１０】船艙用ハッチカバーにおけるロック機構の模式説明図である。
【図１１】従来例における船艙用ハッチカバーの取り外し作業を示す模式図である。
【符号の説明】
１０  漁船
１０ａ  甲板
１１  船艙
１１ａ  船艙開口部
１２  実施の形態１の船艙用ハッチカバー
１３  ハッチカバー本体（左舷）
１３ａ  索条固定部
１４  ハッチカバー本体（右舷）
１５  ハッチカバー本体収納部（左舷）
１６  ハッチカバー本体収納部（右舷）
２０  ローラ
２１  ガイドレール
２１ａ  レール開口部
２２  エンドレス索条
２３  回転ドラム
２４  ハンドル
２５  プーリ
３０  実施の形態２の船艙用ハッチカバー
３１  支持部材
３２  螺旋軸
３３  軸受部
３４  モータ部
３５  制御部
３６  開閉操作レバー
４０  実施の形態３の船艙用ハッチカバーのロック機構
４１  回動部材
４１ａ  回動軸
４１ｂ  ローラ受部
４２  ロックピン
４３  ロックアーム
４３ａ  回動軸
４３ｂ  カム状突起
４４  ロックアーム操作用ロッド
４５  シール材
５０  ハッチビーム
５１  ハッチカバー
【図１】
2004306867.tif 000003
【図２】
2004306867.tif 000004
【図３】
2004306867.tif 000005
【図４】
2004306867.tif 000006
【図５】
2004306867.tif 000007
【図６】
2004306867.tif 000008
【図７】
2004306867.tif 000009
【図８】
2004306867.tif 000010
【図９】
2004306867.tif 000011
【図１０】
2004306867.tif 000012
【図１１】
2004306867.tif 000013